(57)【要約】【課題】    ヘルメットに多機能ユニットを装着可能で、作業者の行動が周囲に束縛されずに、安全に行動でき、効率よい、且つ、電気帽の規格にも合致して応用範囲の広がったヘルメットを提供する。【解決手段】    ヘルメットの外殻体の少なくとも一部の内側に内殻体を設け、主体的に前記外殻体と前記内殻体とで多機能ユニットの収納部を形成し、前記多機能ユニットの出し入れのための開口部を前記ヘルメットの下方に有することを特徴とするヘルメット。【選択図】図１
2008285801.tif 000002
【特許請求の範囲】
【請求項１】
ヘルメットの外殻体の少なくとも一部の内側に内殻体を設け、主体的に前記外殻体と前記内殻体とで多機能ユニットの収納部を形成し、前記多機能ユニットの出し入れのための開口部を前記ヘルメットの下方に有することを特徴とするヘルメット。
【請求項２】
前記収納部に前記多機能ユニットに設けられた係合部と係合して、前記多機能ユニットが前記開口部から落下するのを防止する係合部を有することを特徴とする請求項１に記載のヘルメット。
【請求項３】
前記内殻体に少なくともひとつの透穴を有することを特徴とする請求項１または請求項２に記載のヘルメット。
【請求項４】
前記内殻体の外縁部が、前記ヘルメットの内方に、前記外殻体の外縁部よりも３０ミリメートルより大なる距離分引き込み配置されていることを特徴とする請求項１乃至請求項３のいずれかに記載のヘルメット。
【請求項５】
前記外殻体の少なくとも前記収納部の位置のいずれか一部に透明窓を有することを特徴とする請求項１乃至請求項４に記載のヘルメット。
【請求項６】
前記多機能ユニットが、少なくともカメラと前記カメラで撮影された映像を送信するための送信装置を含み、前記透明窓が前記カメラの撮影のための窓であることを特徴とする請求項５に記載のヘルメット。
【請求項７】
前記多機能ユニットが更に表示のためのＬＥＤ発光部を有していて、前記透明窓が少なくとも更に１個有し（追加の透明窓）、前記ＬＥＤ発光部の発光が前記追加の透明窓から観視できるように構成したことを特徴とする請求項６に記載のヘルメット。
【請求項８】
ヘルメットの外殻体の少なくとも一部の内側に内殻体を設け、主体的に前記外殻体と前記内殻体とで多機能ユニットの収納部を形成し、前記収納部は、前記多機能ユニットの出し入れのための開口部を前記ヘルメットの下方に有し、前記収納部に前記多機能ユニットに設けられた係合部と係合して、前記多機能ユニットが前記開口部から落下するのを防止する係合部を有するとともに、前記外殻体の少なくとも前記収納部の位置のいずれか一部に少なくとも１個の透明窓を有しており、前記多機能ユニットが、少なくともカメラと前記カメラで撮影された映像を送信するための送信装置を含む多機能ユニットであり、前記透明窓が前記カメラの撮影のための窓であって、前記多機能ユニットを前記収納部に収納していることを特徴とするヘルメット。
【請求項９】
前記内殻体に少なくともひとつの透穴を有することを特徴とする請求項８に記載のヘルメット。
【請求項１０】
前記内殻体の外縁部が、前記ヘルメットの内方に、前記外殻体の外縁部よりも３０ミリメートルより大なる距離分引き込み配置されていることを特徴とする請求項８または請求項９のいずれかに記載のヘルメット。
【発明の詳細な説明】
【技術分野】
【０００１】    本発明は、工事現場用、災害現場用等に使用される保護帽あるいはヘルメットに関するもので、多機能ユニットの装着が簡単なヘルメットに関し、更には、前記多機能ユニットを装着したヘルメットに関するものである。
【背景技術】
【０００２】    従来、ヘルメットあるいは保護帽等は、工事現場用、災害現場用、自動二輪用等、様々な用途に用いられ、基本的には、装着者の頭部に安全を提供するものであるが、それぞれ使用される目的に応じて、強度等の異なる条件を満足しなければならない。これらヘルメットあるいは保護帽等は、前記装着者の頭部の安全を満足しつつ、種々の要望に応えるために多機能化の傾向にあり、頭部保護の目的を超えて更に広く装着者に身の安全を提供したり、情報収集したり、正確な行動をするために、様々な工夫が提案されている。【０００３】    例えば、工事現場を例にとると、監督者が周囲の状況を監視し、危険な状態が発生しそうなときには、作業者にその危険を知らせて、作業者の安全を確保することが行われている。例えば、監督者が無線を利用して、危険状態を知らせる等の工夫がされていて、特許文献１に開示されたように、監督者が従来から使用されている誘導灯に無線装置を組み込んで、従来の危険通知方法に更に無線の利用を加えて、作業者の危険回避の向上を図っている。あるいは、特許文献２に記載されたように、誘導灯間の通信を可能にした工夫もされている。
【特許文献１】    特開平１０−３２１００２
【特許文献２】    特開平１１−６６９２４
【発明の開示】
【発明が解決しようとする課題】
【０００４】    本発明者等は、これら従来の方法では、まだ、充分なヘルメット装着者の危険回避がされておらず、工事作業者の色々な事故の報道が今でもされている事実に鑑み、様々な工夫と改良を試みている。例えば、工事現場等で、着用されるヘルメットに無線警報装置を組み込んで、従来の安全向上の方法に加えて、用いることを試みたが、騒音の激しい工事現場では、発振装置を用いて振動を伝えることが最良であることを見出した。しかし、この方法は、工事現場にいる複数の作業者のお互いが全員危険予知を知ったかどうかを確認できない問題とか、危険をしらせた監督者あるいは監視者等が前記作業者あるいは作業者全員が危険予知を確認できたかの確認ができない課題があった。また、工事の際に着用する工事用チョッキに、発光部から発光する光を多方向に反射する反射部と組み合わせた複数の発光装置を組み込んで、前記発光装置の作動により、作業者相互が危険予知確認する方法も試みた。しかしながら、いずれも充分ではなく、更に改良が必要であって、種々試みている。こうしたヘルメットの多機能化とともに、多機能性部分をユニット化して、多機能ユニットして利用することの利点を見出した。前記多機能ユニットは、小型化のために、目的に応じて種々のものの作成の試みをしている。従って、前記多種の多機能ユニットを簡単に交換できるヘルメットが要求され、また、電気帽としての機能もはたすことができると、その応用範囲が更に広がる。
【課題を解決するための手段】
【０００５】    本発明者等は、ヘルメットの外殻体の少なくとも一部の内側に内殻体を設け、主体的に前記外殻体と前記内殻体とで多機能ユニットの収納部を形成し、前記多機能ユニットの出し入れのための開口部を前記ヘルメットの下方に有するヘルメットを請求項１として提供する。【０００６】    また、請求項２として、前記収納部に前記多機能ユニットに設けられた係合部と係合して、前記多機能ユニットが前記開口部から落下するのを防止する係合部を有する請求項１記載のヘルメットを提供する。更に前記内殻体に少なくともひとつの透穴を有する請求項１または請求項２に記載のヘルメットを請求項３とし、前記内殻体の外縁部が、前記ヘルメットの内方に、前記外殻体の外縁部よりも３０ミリメートルより大なる距離分引き込み配置されている請求項１乃至請求項３のいずれかに記載のヘルメット請求項４としていて、また、前記外殻体の少なくとも前記収納部の位置のいずれか一部に透明窓を有する請求項１または２に記載のヘルメットを請求項５で提供する。【０００７】    前記多機能ユニットが、少なくともカメラと前記カメラで撮影された映像を送信するための送信装置を含み、前記透明窓が前記カメラの撮影のための窓である請求項５に記載のヘルメットを請求項６で提供し、前記多機能ユニットが更に表示のためのＬＥＤ発光部を有していて、前記透明窓を少なくとも更に１個有し（追加の透明窓）、前記ＬＥＤ発光部の発光が前記追加の透明窓から観視できるように構成した請求項６に記載のヘルメットを請求項７で提供する。【０００８】    また、ヘルメットの外殻体の少なくとも一部の内側に内殻体を設け、主体的に前記外殻体と前記内殻体とで多機能ユニットの収納部を形成し、前記収納部は、前記多機能ユニットの出し入れのための開口部を前記ヘルメットの下方に有し、前記収納部に前記多機能ユニットに設けられた係合部と係合して、前記多機能ユニットが前記開口部から落下するのを防止する係合部を有するとともに、前記外殻体の少なくとも前記収納部の位置のいずれか一部に少なくとも１個の透明窓を有しており、前記多機能ユニットが、少なくともカメラと前記カメラで撮影された映像を送信するための送信装置を含む多機能ユニットであり、前記透明窓が前記カメラの撮影のための窓であって、前記多機能ユニットを前記収納部に収納しているヘルメットを請求項８として提供し、前記内殻体に少なくともひとつの透穴を有することを特徴とする請求項８に記載のヘルメットを請求項９とし、前記内殻体の外縁部が、前記ヘルメットの内方に、前記外殻体の外縁部よりも３０ミリメートルより大なる距離分引き込み配置されている請求項８または請求項９のいずれかに記載のヘルメットを請求項１０として提供する。
【発明の効果】
【０００９】    本発明はヘルメットに装着される多機能ユニットを簡単に交換できるので、同一形状および同一サイズで作成されたそれぞれの使用目的に応じた多機能ユニットを、ヘルメット本体を交換することなく、簡単に交換でき、個人用のヘルメットを使って、異なる機能のユニットを装着して、使用目的に合わせることができる。更には、電気帽としての規格に合致するので、使用目的をさらに広げることができる等の効果を有し、作業者に望ましいヘルメットを提供することができる。更に種々の効果を有するが以後の記載から明確にされる。
【発明を実施するための最良の形態】
【００１０】    本発明にかかるヘルメットの素材は、通常のものが用いられるが、前記透明窓は、アクリル樹脂等の透明性が高く、硬度の高いものが用いられる。ヘルメットの前記外殻体と前記内殻体は一般的には同一の素材が用いられるが、勿論、異なる素材も目的に応じて使用することができる。好ましくは、同一の素材で構成すると接着性がよいので、前記外殻体と前記内殻体をしっかりと固定できる。また、場合によっては、ひとつの金型で成型することができる。尚、前記透明窓は、インサート成形で形成することもできるが、前記外殻体と前記内殻体を形成した後に、適宜の大きさ、厚みの透明樹脂板を溶着あるいは接着剤等で前記外殻体に内側からあるいは外側から溶着あるいは接着させ、一体化することもできる。いずれにしろ、前記ヘルメットの上部を下にして水につけたときに、少なくとも前記外殻体の外縁部が水面上３０ミリメートルより小さくならない範囲で、前記外殻体を通して水が内部に浸入しないように構成されている。【００１１】    前記内殻体は、場合により、前記外殻体の外縁部で規定される平面と同一あるいはほぼ同一の平面に前記内殻体の外縁部があるようにほぼ端部を揃えて形成されることがある。前記内殻体は、好ましくは、前記外殻体内部面に延設されて一体化していて、前記外殻体とともに前記収納部を形成する。また、別の部材で、前記内殻体と前記外殻体を結合させて収納部を形成することもできる。いずれの場合も、前記内殻体の外縁部と前記外殻体の外縁部で形成される前記収納部の開口部を前記ヘルメットの下方に設ける。前記開口部は、前記多機能ユニットの出し入れのために用いられる。場合によっては、基本的に前記外殻体の外縁部と前記内殻体の外縁部で構成される開口部を除いては、密封されることもあり、ヘルメット内部（前記内殻体の収納部外）に水を入れても、収納部には水の侵入はないように構成できるが、好ましくは、前記内殻体は、ヘルメット内部と流通性のあるように透穴を有している。前記透穴は単数でも、複数でもよいが、複数の場合は、その形状は同じでも、異なってもよい。また、複数の透穴を有する場合は、そのひとつ以上を前記係合部に利用することができる。前記内殻体の外縁部を前記外殻体の外縁部よりも内寄りに構成し、好ましくは３０ミリメートルより大きい距離分前記ヘルメットの内側寄りに構成することもでき、この場合は、前記透穴を有してもよいが、前記透穴を省略できる利点もある。この場合、前記ヘルメットを平面体に前記外殻体の外縁部が概ね接触する状態に乗せると、前記内殻体の外縁部はそれよりも前記距離分上方に浮いた形になる。また、前記外殻体および／または前記内殻体は、要求により、電波遮断性を有していてもよい。【００１２】    好ましくは、前記内殻体は、前記外殻体の外縁部周囲に配設され、前記外殻体の外縁部全体に沿って、あるいは、前記外殻体の外縁部周辺に沿ったヘルメットの前頭部、または、後頭部の一部に形成される。好ましくは、ヘルメットを装着したときの頭部上方は、前記内殻体はなく、頭部周囲に存在するようにして、前記多機能ユニットの重量が装着者の頭部全体に平均的に分散できるようにするのが望ましい。頭部を支えるヘッドバンドとハンモック等の内装は従来のヘルメットと同様にヘルメット内部に設けられる。前記外殻体、前記内殻体、および前記多機能ユニットの外装体は、総合的な強度でヘルメットの装着者の頭部を保護することができるので、それぞれの厚みを調整でき、場合により、前記外装体の厚みを減らせて、前記多機能ユニットの軽量化ができる。【００１３】    前記多機能ユニットは、好ましくは前記収納部にあわせた形状と大きさのもので、言い換えれば、前記多機能ユニットの形状と大きさにあわせて収納部が形成される。多機能ユニットとしては、好ましくは、静止画用および／または動画用撮影カメラ、映像および／または音声の送信機および／または受信機、危険警報用の音響発生器または振動機またはＬＥＤ発光体、それぞれの装置の動作状態を示すＬＥＤ表示装置、電源等々の全部あるいは適宜な組み合わせを含む機能をユニット化したものである。【００１４】    前記透明窓は、前記撮影カメラの撮影窓あるいは、前記ＬＥＤ発光体および／またはＬＥＤ表示装置が外部から見えるような位置に設けられる。これにより、前記収納部に収納された前記多機能ユニットの必要部分を外部から観視することができる。【００１５】    前記多機能ユニットが前記収納部に収められたときに、前記多機能ユニットがヘルメット装着時に落下しないように前記係合部が設けられるが、弾性の凹凸部の係合部を収納部内壁（前記外殻体内壁および／または前記内殻体内壁）に複数設けることもできるが、前記収納部の形状を前記多機能ユニットに比較して多少ゆがませて、収納時に形状変化させ、収納部内部に形状変化力と摩擦力とでしっかりと固定させる方式を採用することもできる。前記多機能ユニットを前記収納部から逆に取り外すときは、瞬時の強い力で、引き出すことができ、前記多機能ユニットの出し入れが簡単なので、好ましい。また、係合部は、前記開口部の少なくとも一部あるいは全面を覆うような蓋を用いることもできる。前記蓋の一端は、前記内殻体あるいは前記外殻体にヒンジ結合で、（前記内殻体あるいは前記外殻体の延設で形成することもでき、）一体化され、他端を他方の殻部に係合して、しっかりと前記多機能ユニットを収納するようにすることもできる。また、前記したように、前記透穴の一部を係合部として利用し、前記多機能ユニットに弾性突起（出入可能な非弾性突起を含み）を設けて、前記透穴に係合するようにすることもできる。係合手段としては、知られている手段が活用できる。また、前記外殻体に保護帯いわゆるハンモックの一部をかけるような方式で、前記多機能ユニットを覆い、前記多機能ユニットの落下を防止するように構成することもできる。【００１６】    従って、防災用に用意された多機能ユニットと工事用に用意された多機能ユニットを使用時の目的に応じて、前記収納部に収納させて、同一のヘルメットでも、目的に応じた多機能ヘルメットとして用いられる。あるいは、必要な装着者が目的の多機能ユニットを装着し、途中で、作業者が交代するときに多機能ユニットを装着代えすることができる。また、ヘルメットの寿命で、新しいヘルメットをもちいる場合も、前記多機能ユニットを共用できる利点もある。【００１７】    個人用のヘルメットは、他人に使用されるのを���業者等は好まない傾向にあり、また、他人用のものを使用することも好まない傾向にあるので、自分用のヘルメットを使用しながら、作業者が喜んで、多機能ユニットのみを交換でき、心情的、心理的なことに基づく事故の防止も可能になる効果を有する。【００１８】    以下、図面を用いて、更に具体的に本発明を説明すると共に、具体的な実施例について説明する。図１乃至３は、本発明の一実施例である。図１は、本発明にかかるヘルメットを下方から見た外観図で、ヘルメット１から多機能ユニット２を取り出した状態を示している。図２は、前記多機能ユニットヘルメット１に装着した状態で、後方から概観した外観図である。図３は、前記多機能ユニットをヘルメット１に装着した状態を、斜め前方から見た外観図である。以下、図１乃至図３をあわせて説明する。【００１９】    多機能ユニット２は、Ｕ字型に形成されていて、撮影レンズ４を有するカメラ部１０を有し、カメラ部１０の底部に表示部６が設けられている。表示部６は、ＬＥＤ等の発光体を利用して、色違い、点滅・点灯等により、例えば、カメラの作動状態を装着者に知らせるためのものである。３ａ、３ｂおよび３ｃは、ＬＥＤ表示であり、例えば、無線の作動状態等を知らせるもので、外殻体１１に設けられた透明窓７を透して目視できるように構成されている。５は、接続部で、外部の電源、マイクロフォン等と接続可能な端子類である。【００２０】    ヘルメット１は、鍔部９と外殻体１１と内殻体１２から構成され、外殻体１１と内殻体１２で、収納部１３が形成されていて、収納部１３は、多機能ユニット２をぴったり収納できる形状に構成され、多機能ユニットの形状が両端で多少開き気味になっているために、多機能ユニット２を収納部１３に収納した際には、前記多機能ユニットおよび／または前記収納部の形状変化により前記多機能ユニットが、前記収納部に確実に固定され、ヘルメットを装着しても、形状変化力と摩擦力で落下することはない。また、より確実に前記落下を防止するには、図示はされていないが、保護帯あるいはいわゆるハンモックの一部を外殻体１１の鍔部９の根元にかけるように構成し、前記ハンモックの一部で前記多機能ユニットを覆うように構成する。【００２１】    ヘルメットの透明窓８を通して、映像が撮影され、多機能ユニット２内の通信部から前記映像が必要箇所に送信されるようになっている。外殻体１１の外縁部１５で形成される平面と内殻体１２の外縁部１６で形成される平面は、ほぼ同一面になるように成形されている。【００２２】    外殻体１１と内殻体１２の結合部は、部分的に結合していて、結合していない非結合部分もあって、前記非結合部分は、ヘルメット１の内部と収納部１３との空気の流通を可能としていて、透穴を形成し、ヘルメット１の収納部１３に多機能ユニット２を装着しない状態で内部１４に例えば、水をいれると、収納部１３に水が滲出するようになっている。また、ヘルメット１の上部を下にして水につけても、外縁部１５が水面内に入らない限り、収納部１３に水が滲出しないように形成されている。【００２３】    従って、前記外殻体と前記内殻体の結合部に前記非結合部分を有しない場合は、ヘルメット１の内部と収納部１３は、前記透���を有さないので、雨、汗等から多機能ユニット２を保護する効果を有するが、上記のように非結合部分（前記透穴）を有すると前記多機能ユニットを雨から保護するとともに現在の電気帽の規格に問題なく合致するので、使用の用途が広がるものである。多機能ユニット２と同一形状と大きさで、他の機能の部品を内蔵させた多機能ユニットを作成して、多機能ユニット２と交換することにより、簡単に別の目的にも使用できるようになる。図１乃至図３で示される実施例は、内殻体１２をヘルメット１の前頭部に配置した例である。【００２４】    図４乃至図６は、内殻体１２をヘルメット１の後頭部に配置した他の実施例で、図４は、下方からみた外観図であり、多機能ユニットが外された状態を示していて、図５は、斜め後方からの外観図で、図６は、斜め前方上方からの外観図である。図５および図６は、収納部１３に多機能ユニット２が収納されている。全体をまとめて説明すると、多機能ユニット２は、端子類５を有していて、ヘルメット１の外殻体１１の後頭部に設けられた内殻体１２で収納部１３を形成し、前記収納部は、前記多機能ユニットと一致する形状、大きさに構成され、多機能ユニット２の形状を第一の実施例と同様に少し変形しておき、前記多機能ユニットが前記収納部に収納されたときに、前記外殻体内壁と前記内殻体の内壁と摩擦力と変形力で保持されるように構成されている。【００２５】    第二の実施例では、撮影レンズ４とカメラ部１０は、予め、ヘルメットに一体的に形成されていて、通信機能等の部分が多機能ユニット２内に収納されている。鍔部９を有するヘルメット１の外殻体１１の外縁部１５が規定する平面と内殻体１２の外縁部１６が規定する平面は、ほぼ同一平面になっている。本実施例でも、外殻体１１と内殻体１２の結合部は、非結合部を有していて、第一の実施例と同一の作用、効果を有する。透明窓７は、多機能ユニットに設けられた表示部（図示せず）が見えるように構成されている。【００２６】    図７乃至９は、第三の実施例で、多機能ユニットが頭側部全体を囲んでいる例で、重量が平均に頭部にかかるように構成されている。各符号は第一、第二の実施例と共通で、それぞれの図も前記と同じ意味を有している。図７は下方からみた外観図であり、多機能ユニットが外された状態を示していて、図８は、斜め後方からの外観図で、図９は、斜め前方上方からの外観図である。ヘルメット１は、鍔部９、外殻体１１、内殻体１２、収納部１３、透明窓７および透明窓８で構成されている。外殻体１１と内殻体１２が非結合部分を有することは他の実施例と同一である。但し、内殻体１２の外縁部１６が、ヘルメット１の内方に、外殻体１１の外縁部１５よりも３１ミリメートル引き込み配置されている。図８および図９は、収納部１３に多機能ユニット２が収納されている。【００２７】    上記各実施例において、内装類は省略されているが、ヘルメット１を装着したときにヘルメット内部が直に頭部にあたらないように、ハンモック等が設けられ、衝撃を緩衝するための緩衝材等も必要に応じて設けられており、また、ヘルメット１を顎で固定するためのヘッドバンドも設けられ、種々の内装類が必要に応じて使用される。
【図面の簡単な説明】
【００２８】
【図１】  本発明の第一の実施例を下方から見た外観図である。
【図２】  第一の実施例を後方から見た外観図である。
【図３】  第一の実施例の斜め前方から見た外観図である。
【図４】  本発明の第二の実施例を下方から見た外観図である。
【図５】  第二の実施例を後方から見た外観図である。
【図６】  第二の実施例の斜め前方から見た外観図である。
【図７】  本発明の第三の実施例を下方から見た外観図である。
【図８】  第三の実施例を後方から見た外観図である。
【図９】  第三の実施例の斜め前方から見た外観図である。
【符号の説明】
【００２９】  １    ヘルメット
２    多機能ユニット
３ａ  ＬＥＤ表示部
３ｂ  ＬＥＤ表示部
３ｃ  ＬＥＤ表示部
４    撮影レンズ
７    透明窓
８    透明窓
１０  カメラ部
１１  外殻体
１２  内殻体
１３  収納部
【図１】
2008285801.tif 000003
【図２】
2008285801.tif 000004
【図３】
2008285801.tif 000005
【図４】
2008285801.tif 000006
【図５】
2008285801.tif 000007
【図６】
2008285801.tif 000008
【図７】
2008285801.tif 000009
【図８】
2008285801.tif 000010
【図９】
2008285801.tif 000011